(57)【特許請求の範囲】
【請求項１】
指針を構成する指針画像と、前記指針が指し示す指標を構成する指標画像とを有する計器画像を表示可能な表示パネルと、
前記指針画像と前記指標画像とを重ねて表示する重ね合わせ表示が可能なように前記計器画像を前記表示パネルに表示させる制御手段とを備え、
前記制御手段は、前記重ね合わせ表示の際に、前記指標画像が表す前記指標を読み取り可能なように前記指針画像の指針形態と前記指標画像の指標表示態様との少なくとも一方を変化させ、
前記制御手段は、前記指針画像と前記指標画像とが重なる位置で、前記指針画像を連続的に見せることが可能なように前記指針形態と前記指標表示態様との少なくとも一方を変化させ、
かつ、前記制御手段は、前記重ね合わせ表示の際に前記指標画像を前記指針画像の上に重なるように表示させ、且つ、前記指針画像において前記重なり部の周囲の周辺部を、前記指針画像の明度と、前記指標画像の明度と、前記指針画像と前記指標画像の両方の背景の明度とのいずれとも異なる明度で表示させることによって、前記指針形態を変化させることを特徴とする表示装置。
【請求項２】
指針を構成する指針画像と、前記指針が指し示す指標を構成する指標画像とを有する計器画像を表示可能な表示パネルと、
前記指針画像と前記指標画像とを重ねて表示する重ね合わせ表示が可能なように前記計器画像を前記表示パネルに表示させる制御手段とを備え、
前記制御手段は、前記重ね合わせ表示の際に、前記指標画像が表す前記指標を読み取り可能なように前記指針画像の指針形態と前記指標画像の指標表示態様との少なくとも一方を変化させ、
前記制御手段は、前記指針画像と前記指標画像とが重なる位置で、前記指針画像を連続的に見せることが可能なように前記指針形態と前記指標表示態様との少なくとも一方を変化させ、
かつ、前記制御手段は、前記重ね合わせ表示の際に前記指標画像を前記指針画像の上に重なるように表示させ、且つ、前記指針画像において前記重なり部の周囲の周辺部を、前記指針画像の色相と、前記指標画像の色相と、前記指針画像と前記指標画像の両方の背景の色相とのいずれとも異なる色相で表示させることによって、前記指針形態を変化させることを特徴とする表示装置。
【請求項３】
前記制御手段は、前記周辺部を、前記指針画像の色相と、前記指標画像の色相と、前記背景の色相とのいずれとも異なる色相で表示させることを特徴とする請求項１に記載の表示装置。
【請求項４】
前記制御手段は、前記周辺部を、前記背景の明度と前記指針画像の明度との間の明度で表示させることを特徴とする請求項１または３に記載の表示装置。
【請求項５】
前記制御手段は、前記周辺部を、前記背景の色相と前記指針画像の色相との間の色相で表示させることを特徴とする請求項２または３に記載の表示装置。
【請求項６】
前記制御手段は、前記周辺部を、前記背景の色相と前記指針画像の色相との間の色相で表示させることを特徴とする請求項４に記載の表示装置。
【請求項７】
前記制御手段は、前記周辺部を、前記背景の明度と前記指針画像の明度との略中央の明度で表示させることを特徴とする請求項４または６に記載の表示装置。
【請求項８】
前記制御手段は、前記周辺部を、前記背景の色相と前記指針画像の色相との略中央の色相で表示させることを特徴とする請求項５または６に記載の表示装置。
【請求項９】
前記制御手段は、前記周辺部を、前記背景の明度と前記指針画像の明度との略中央の明度で表示させることを特徴とする請求項８に記載の表示装置。
【請求項１０】
前記制御手段は、前記指針画像の長手方向において前記周辺部の両端から前記重なり部の中央に向かって、前記指針画像の明度から前記背景の明度まで前記周辺部の明度が徐々に変化していくグラデーションを、前記周辺部に表示させることを特徴とする請求項１〜９のいずれか一項に記載の表示装置。
【請求項１１】
前記制御手段は、前記指針画像の長手方向において前記周辺部の両端の一方から他方に向かって、前記指針画像の明度から前記背景の明度まで前記周辺部の明度が徐々に変化していくグラデーションを、前記周辺部に表示させることを特徴とする請求項１〜９のいずれか一項に記載の表示装置。
【請求項１２】
前記指針画像が指し示している前記指標画像と前記背景との明度差を、他の指標画像と前記背景との明度差より高く設定することを特徴とする請求項１〜１１のいずれか一項に記載の表示装置。
【請求項１３】
前記制御手段は、前記指針画像が指し示している前記指標画像の陰影を表す陰影部を、前記指針画像が指し示している前記指標画像と隣接させて表示することを特徴とする請求項１〜１１のいずれか一項に記載の表示装置。
【請求項１４】
指針を構成する指針画像と、前記指針が指し示す指標を構成する指標画像とを有する計器画像を表示可能な表示パネルと、
前記指針画像と前記指標画像とを重ねて表示する重ね合わせ表示が可能なように前記計器画像を前記表示パネルに表示させる制御手段とを備え、
前記制御手段は、前記重ね合わせ表示の際に、前記指標画像が表す前記指標を読み取り可能なように前記指針画像の指針形態と前記指標画像の指標表示態様との少なくとも一方を変化させ、
前記制御手段は、前記指針画像と前記指標画像とが重なる位置で、前記指針画像を連続的に見せることが可能なように前記指針形態と前記指標表示態様との少なくとも一方を変化させ、
かつ、前記制御手段は、前記重ね合わせ表示の際に、前記指標画像と前記指針画像の重なり部を、重なる前の前記指針画像の明度と前記指標画像の明度との、いずれとも異なる明度で表示させることによって、前記指標表示態様を変化させる表示装置において、
前記指標画像と前記指針画像とが重なった場合に、前記重なり部のみでなく前記指標画像全体を前記異なる明度で表示させることを特徴とする表示装置。
【請求項１５】
指針を構成する指針画像と、前記指針が指し示す指標を構成する指標画像とを有する計器画像を表示可能な表示パネルと、
前記指針画像と前記指標画像とを重ねて表示する重ね合わせ表示が可能なように前記計器画像を前記表示パネルに表示させる制御手段とを備え、
前記制御手段は、前記重ね合わせ表示の際に、前記指標画像が表す前記指標を読み取り可能なように前記指針画像の指針形態と前記指標画像の指標表示態様との少なくとも一方を変化させ、
前記制御手段は、前記指針画像と前記指標画像とが重なる位置で、前記指針画像を連続的に見せることが可能なように前記指針形態と前記指標表示態様との少なくとも一方を変化させ、
かつ、前記制御手段は、前記重ね合わせ表示の際に、前記指標画像と前記指針画像の重なり部を、重なる前の前記指針画像の色相と前記指標画像の色相との、いずれとも異なる色相で表示させることによって、前記指標表示態様を変化させる表示装置において、
前記指標画像と前記指針画像とが重なった場合に、前記重なり部のみでなく前記指標画像全体を前記異なる色相で表示させることを特徴とする表示装置。
【請求項１６】
前記制御手段は、前記重なり部を、前記指針画像の色相と前記指標画像の色相とのいずれとも異なる色相で表示させることを特徴とする請求項１４に記載の表示装置。
【請求項１７】
指針を構成する指針画像と、前記指針が指し示す指標を構成する指標画像とを有する計器画像を表示可能な表示パネルと、
前記指針画像と前記指標画像とを重ねて表示する重ね合わせ表示が可能なように前記計器画像を前記表示パネルに表示させる制御手段とを備え、
前記制御手段は、前記重ね合わせ表示の際に、前記指標画像が表す前記指標を読み取り可能なように前記指針画像の指針形態と前記指標画像の指標表示態様との少なくとも一方を変化させ、
前記制御手段は、前記指針画像と前記指標画像とが重なる位置で、前記指針画像を連続的に見せることが可能なように前記指針形態と前記指標表示態様との少なくとも一方を変化させ、
前記制御手段は、前記指標画像が表す前記指標を読み取らせる補助画像を、前記指標画像の周囲に表示させることによって、前記指標表示態様を変化させることを特徴とする表示装置。
【請求項１８】
前記補助画像は、前記指針画像が動く方向に前記指針画像からずらした位置で表示されて、前記指標を表すことを特徴とする請求項１７に記載の表示装置。
【請求項１９】
前記補助画像は、前記指標画像の陰影を表す陰影画像であることを特徴とする請求項１７に記載の表示装置。
【請求項２０】
前記補助画像は、前記指標画像の輪郭の少なくとも一部を表す輪郭画像であることを特徴とする請求項１７に記載の表示装置。
【請求項２１】
前記制御手段は、前記補助画像を、前記指針画像と前記指標画像の両方の背景の明度と前記指針画像の明度との略中央の明度で表示させることを特徴とする請求項１７〜２０のいずれか一項に記載の表示装置。
【請求項２２】
前記制御手段は、前記補助画像を、前記背景の色相と前記指針画像の色相との略中央の色相で表示させることを特徴とする請求項１７〜２１のいずれか一項に記載の表示装置。
【請求項２３】
指針を構成する指針画像と、前記指針が指し示す指標を構成する指標画像とを有する計器画像を表示可能な表示パネルと、
前記指針画像と前記指標画像とを重ねて表示する重ね合わせ表示が可能なように前記計器画像を前記表示パネルに表示させる制御手段とを備え、
前記制御手段は、前記重ね合わせ表示の際に、前記指標画像が表す前記指標を読み取り可能なように前記指針画像の指針形態と前記指標画像の指標表示態様との少なくとも一方を変化させ、
前記制御手段は、前記指針画像と前記指標画像とが重なる位置で、前記指針画像を連続的に見せることが可能なように前記指針形態と前記指標表示態様との少なくとも一方を変化させ、
かつ、前記制御手段は、前記指針画像の長手方向へ前記指針画像の先端より外側へ前記指標画像を移動させて前記指標画像を表示させることによって、前記指標表示態様を変化させることを特徴とする表示装置。
【請求項２４】
指針を構成する指針画像と、前記指針が指し示す指標を構成する指標画像とを有する計器画像を表示可能な表示パネルと、
前記指針画像と前記指標画像とを重ねて表示する重ね合わせ表示が可能なように前記計器画像を前記表示パネルに表示させる制御手段とを備え、
前記制御手段は、前記重ね合わせ表示の際に、前記指標画像が表す前記指標を読み取り可能なように前記指針画像の指針形態と前記指標画像の指標表示態様との少なくとも一方を変化させ、
前記制御手段は、前記指針画像と前記指標画像とが重なる位置で、前記指針画像を連続的に見せることが可能なように前記指針形態と前記指標表示態様との少なくとも一方を変化させ、
かつ、前記制御手段は、前記指標画像を迂回する形状で前記指針画像を表示させることによって、前記指針形態を変化させることを特徴とする表示装置。
【請求項２５】
指針を構成する指針画像と、前記指針が指し示す指標を構成する指標画像とを有する計器画像を表示可能な表示パネルと、
前記指針画像と前記指標画像とを重ねて表示する重ね合わせ表示が可能なように前記計器画像を前記表示パネルに表示させる制御手段とを備え、
前記制御手段は、前記重ね合わせ表示の際に、前記指標画像が表す前記指標を読み取り可能なように前記指針画像の指針形態と前記指標画像の指標表示態様との少なくとも一方を変化させ、
前記制御手段は、前記指針画像と前記指標画像とが重なる位置で、前記指針画像を連続的に見せることが可能なように前記指針形態と前記指標表示態様との少なくとも一方を変化させ、
かつ、前記制御手段は、前記重ね合わせ表示の際に、前記指針画像と重なっている前記指標画像の全体を前記指針画像の明度と異なる明度で表示させることによって、前記指標表示態様を変化させることを特徴とする表示装置。
【請求項２６】
指針を構成する指針画像と、前記指針が指し示す指標を構成する指標画像とを有する計器画像を表示可能な表示パネルと、
前記指針画像と前記指標画像とを重ねて表示する重ね合わせ表示が可能なように前記計器画像を前記表示パネルに表示させる制御手段とを備え、
前記制御手段は、前記重ね合わせ表示の際に、前記指標画像が表す前記指標を読み取り可能なように前記指針画像の指針形態と前記指標画像の指標表示態様との少なくとも一方を変化させ、
前記制御手段は、前記指針画像と前記指標画像とが重なる位置で、前記指針画像を連続的に見せることが可能なように前記指針形態と前記指標表示態様との少なくとも一方を変化させ、
かつ、前記制御手段は、前記重ね合わせ表示の際に、前記指針画像と重なっている前記指標画像の全体を前記指針画像の色相と異なる色相で表示させることによって、前記指標表示態様を変化させることを特徴とする表示装置。
【請求項２７】
前記制御手段は、前記全体を前記指針画像の色相と異なる色相で表示させることを特徴とする請求項２５に記載の表示装置。
【請求項２８】
前記制御手段は、前記指針画像と前記指標画像の両方の背景において前記全体の周囲の背景周辺部を、前記背景の明度と、前記指針画像の明度と、前記全体の明度とのいずれとも異なる明度で表示させることを特徴とする請求項２５または２７に記載の表示装置。
【請求項２９】
前記制御手段は、前記指針画像と前記指標画像の両方の背景において前記全体の周囲の背景周辺部を、前記背景の色相と、前記指針画像の色相と、前記全体の色相とのいずれとも異なる色相で表示させることを特徴とする請求項２６または２７に記載の表示装置。
【請求項３０】
前記制御手段は、前記背景周辺部を、前記背景の色相と、前記指針画像の色相と、前記全体の色相とのいずれとも異なる色相で表示させることを特徴とする請求項２８に記載の表示装置。
【発明の詳細な説明】
【技術分野】
【０００１】
本発明は、指針と指標とを少なくとも有する計器画像を表示する表示装置に関するものである。
【背景技術】
【０００２】
マトリックス状に複数の画素が形成されている液晶パネル等の表示パネルを備え、指針を構成する指針画像と、指針が指し示す指標を構成する指標画像とを少なくとも有する計器画像を、表示パネルに表示する表示装置が開示されている（特許文献１を参照）。
【特許文献１】特開２００６−２１５７３号公報
【発明の開示】
【発明が解決しようとする課題】
【０００３】
特許文献１には明確に記載されていないが、指針画像と指標画像とが重なるように計器画像が表示される場合、この重なりによって指標画像が表す指標を読み取り難くなる。
【０００４】
本発明は、このような事情を考慮してなされたものであり、指針画像と記指標画像とを重ねて表示する際に、指標画像が表す指標を読み取り可能な表示装置を提供することを目的とする。
【課題を解決するための手段】
【０００５】
本発明は上記目的を達成するため、以下の技術的手段を採用する。
【０００６】
請求項１に記載の表示装置は、指針を構成する指針画像と、前記指針が指し示す指標を構成する指標画像とを有する計器画像を表示可能な表示パネルと、前記指針画像と前記指標画像とを重ねて表示する重ね合わせ表示が可能なように前記計器画像を前記表示パネルに表示させる制御手段とを備え、前記制御手段は、前記重ね合わせ表示の際に、前記指標画像が表す前記指標を読み取り可能なように前記指針画像の指針形態と前記指標画像の指標表示態様との少なくとも一方を変化させ、前記制御手段は、前記指針画像と前記指標画像とが重なる位置で、前記指針画像を連続的に見せることが可能なように前記指針形態と前記指標表示態様との少なくとも一方を変化させ、かつ、前記制御手段は、前記重ね合わせ表示の際に前記指標画像を前記指針画像の上に重なるように表示させ、且つ、前記指針画像において前記重なり部の周囲の周辺部を、前記指針画像の明度と、前記指標画像の明度と、前記指針画像と前記指標画像の両方の背景の明度とのいずれとも異なる明度で表示させることによって、前記指針形態を変化させることを特徴とする。
【０００７】
この構成では、重ね合わせ表示の際に、指標画像が表す指標を読み取り可能なように指針画像の指針形態と指標画像の指標表示態様との少なくとも一方を変化させる。これにより、重ね合わせ表示の際に、指標画像が表す指標を読み取り可能にできる。
【０００９】
また、この構成では、指針画像と指標画像とが重なる位置で、指針画像を連続的に見せることが可能なように指針形態と指標表示態様との少なくとも一方を変化させる。これにより、指標画像と重なる位置で指針画像を連続的に見せることが可能になるため、いずれの指標画像が指針画像によって指し示されているかが認識し易くなる。
【００１１】
更に、この構成では、重ね合わせ表示の際に、指標画像を指針画像の上に重なるように表示させているため、指標画像が表す指標を読み取り可能にできる。また、この構成では、指針画像において重なり部の周囲の周辺部を、指針画像と指標画像と背景とのいずれとも異なる明度で表示させる。これにより、指針画像のつながり感を、周辺部で持たせることができるため、指標画像と重なる位置で指針画像を連続的に見せることが可能になる。
【００１２】
請求項２に記載の表示装置の要部は、制御手段が、重ね合わせ表示の際に指標画像を指針画像の上に重なるように表示させ、且つ、指針画像において重なり部の周囲の周辺部を、指針画像の色相と、指標画像の色相と、指針画像と指標画像の両方の背景の色相とのいずれとも異なる色相で表示させることによって、指針形態を変化させることを特徴とする。
【００１３】
この構成では、重ね合わせ表示の際に、指標画像を指針画像の上に重なるように表示させているため、指標画像が表す指標を読み取り可能にできる。また、この構成では、指針画像において重なり部の周囲の周辺部を、指針画像と指標画像と背景とのいずれとも異なる色相で表示させる。これにより、指針画像のつながり感を、周辺部で持たせることができるため、指標画像と重なる位置で指針画像を連続的に見せることが可能になる。
【００１４】
請求項３に記載の表示装置は、制御手段が、周辺部を、指針画像の色相と、指標画像の色相と、背景の色相とのいずれとも異なる色相で表示させることを特徴とする。
【００１５】
この構成では、請求項１に記載されている構成を兼ね備えているため、上述の効果をより高めることができる。
【００１６】
請求項４に記載の表示装置は、制御手段が、周辺部を、背景の明度と指針画像の明度との間の明度で表示させることを特徴とする。
この構成では、周辺部を、背景の明度と指針画像の明度との間の明度で表示させる。これにより、背景の明度と指針画像の明度との間の明度で表示させる周辺部を背景として、指標画像を表示させるため、指針画像を背景として指標画像を表示させる場合と比較して、指針画像と重なっている指標画像を認識し易くできる。このため、指標画像が表す指標を読み取り可能にできる。
【００１７】
また、背景の明度と指針画像の明度との間の明度で周辺部を表示させるため、この周辺部で指針画像につながり感を持たせることができる。これにより、指標画像と重なる位置で指針画像を連続的に見せることが可能になる。
【００１８】
請求項５に記載の表示装置は、制御手段が、周辺部を、背景の色相と指針画像の色相との間の色相で表示させることを特徴とする。
【００１９】
この構成では、周辺部を、背景の色相と指針画像の色相との間の色相で表示させる。これにより、背景の色相と指針画像の色相との間の色相で表示させる周辺部を背景として、指標画像を表示させるため、指針画像を背景として指標画像を表示させる場合と比較して、指針画像と重なっている指標画像を認識し易くできる。このため、指標画像が表す指標を読み取り可能にできる。
【００２０】
また、背景の色相と指針画像の色相との間の明度で周辺部を表示させるため、この周辺部で指針画像につながり感を持たせることができる。これにより、指標画像と重なる位置で指針画像を連続的に見せることが可能になる。
【００２１】
請求項６に記載の表示装置は、制御手段が、周辺部を、背景の色相と指針画像の色相との間の色相で表示させることを特徴とする。この構成では、請求項４に記載されている構成を兼ね備えているため、上述の効果をより高めることができる。
【００２２】
請求項７に記載の表示装置は、制御手段が、周辺部を、背景の明度と指針画像の明度との略中央の明度で表示させることを特徴とする。ここで、周辺部を、背景に近い明度で表示させる場合、指針画像と重なっている指標画像を認識し易くできるが、周辺部で指針画像のつながり感が低下する。反対に、周辺部を、指針画像に近い明度で表示させる場合、指針画像と重なっている指標画像を認識し難くなるが、周辺部で指針画像のつながり感が向上する。
【００２３】
このように、指針画像と重なっている指標画像を認識し易くすることと、指針画像のつながり感を向上することとは、相反することである。これに対して、この構成では、周辺部を背景と指針画像との略中央の明度で表示させるため、より適切に上述の効果を高めることができる。
【００２４】
請求項８に記載の表示装置は、制御手段が、周辺部を、背景の色相と指針画像の色相との略中央の色相で表示させることを特徴とする。ここで、周辺部を、背景に近い色相で表示させる場合、指針画像と重なっている指標画像を認識し易くできるが、周辺部で指針画像のつながり感が低下する。反対に、周辺部を、指針画像に近い色相で表示させる場合、指針画像と重なっている指標画像を認識し難くなるが、周辺部で指針画像のつながり感が向上する。
【００２５】
このように、指針画像と重なっている指標画像を認識し易くすることと、指針画像のつながり感を向上することとは、相反することである。これに対して、この構成では、周辺部を背景と指針画像との略中央の色相で表示させるため、より適切に上述の効果を高めることができる。
【００２６】
請求項９に記載の表示装置は、制御手段が、周辺部を、背景の明度と指針画像の明度との略中央の明度で表示させることを特徴とする。この構成では、請求項８に記載されている構成を兼ね備えているため、より一層適切に上述の効果を高めることができる。
【００２７】
請求項１０に記載の表示装置は、制御手段が、指針画像の長手方向において周辺部の両端から重なり部の中央に向かって、指針画像の明度から背景の明度まで周辺部の明度が徐々に変化していくグラデーションを、周辺部に表示させることを特徴とする。これにより、周辺部の両端側で指針画像のつながり感が向上し、重なり部の中央側で、指針画像と重なっている指標画像を認識し易くできる。したがって、上述の効果を得ることができると共に、周辺部のグラデーション効果によって、意匠性を高めることができる。
【００２８】
請求項１１に記載の表示装置は、制御手段が、指針画像の長手方向において周辺部の両端の一方から他方に向かって、指針画像の明度から背景の明度まで周辺部の明度が徐々に変化していくグラデーションを、周辺部に表示させることを特徴とする。これにより、周辺部の両端の一方側で指針画像のつながり感が向上し、周辺部の両端の他方側で、指針画像と重なっている指標画像を認識し易くできる。これらの結果、上述の効果を得ることができると共に、周辺部のグラデーション効果によって、意匠性を高めることができる。
【００２９】
請求項１２に記載の表示装置は、指針画像が指し示している指標画像と背景との明度差を、他の指標画像と背景との明度差より高く設定することを特徴とする。これにより、指針画像が指し示す指標画像を、より認識し易くできるため、この指標画像が表す指標をより読み取り易くできる。
【００３０】
請求項１３に記載の表示装置は、制御手段が、指針画像が指し示している指標画像の陰影を表す陰影部を、指針画像が指し示している指標画像と隣接させて表示することを特徴とする。これにより、指針画像が指し示す指標画像を、より認識し易くできるため、この指標画像が表す指標をより読み取り易くできる。
【００３１】
請求項１４に記載の表示装置は、指針を構成する指針画像と、指針が指し示す指標を構成する指標画像とを有する計器画像を表示可能な表示パネルと、指針画像と指標画像とを重ねて表示する重ね合わせ表示が可能なように計器画像を表示パネルに表示させる制御手段とを備え、制御手段は、重ね合わせ表示の際に、指標画像が表す指標を読み取り可能なように指針画像の指針形態と指標画像の指標表示態様との少なくとも一方を変化させ、制御手段は、指針画像と指標画像とが重なる位置で、指針画像を連続的に見せることが可能なように指針形態と指標表示態様との少なくとも一方を変化させ、かつ、制御手段は、重ね合わせ表示の際に、指標画像と指針画像の重なり部を、重なる前の指針画像の明度と指標画像の明度との、いずれとも異なる明度で表示させることによって、指標表示態様を変化させる表示装置において、指標画像と指針画像とが重なった場合に、重なり部のみでなく指標画像全体を前記異なる明度で表示させることを特徴とする。
【００３２】
この構成では、重ね合わせ表示の際に、重なり部を、指針画像の明度と指標画像の明度とのいずれとも異なる明度で表示させるため、指標画像が表す指標を読み取り可能にできる。また、指針画像のつながり感を、重なり部で持たせることができるため、指針画像を連続的に見せることが可能になる。
【００３３】
請求項１５に記載の表示装置は、指針を構成する指針画像と、指針が指し示す指標を構成する指標画像とを有する計器画像を表示可能な表示パネルと、指針画像と指標画像とを重ねて表示する重ね合わせ表示が可能なように計器画像を表示パネルに表示させる制御手段とを備え、制御手段は、重ね合わせ表示の際に、指標画像が表す指標を読み取り可能なように指針画像の指針形態と指標画像の指標表示態様との少なくとも一方を変化させ、制御手段は、指針画像と指標画像とが重なる位置で、指針画像を連続的に見せることが可能なように指針形態と指標表示態様との少なくとも一方を変化させ、かつ、制御手段は、重ね合わせ表示の際に、指標画像と指針画像の重なり部を、重なる前の指針画像の色相と指標画像の色相との、いずれとも異なる色相で表示させることによって、指標表示態様を変化させる表示装置において、指標画像と指針画像とが重なった場合に、重なり部のみでなく指標画像全体を前記異なる色相で表示させることを特徴とする。
【００３４】
この構成では、重ね合わせ表示の際に、重なり部を、指針画像の色相と指標画像の色相とのいずれとも異なる色相で表示させるため、指標画像が表す指標を読み取り可能にできる。また、指針画像のつながり感を、重なり部で持たせることができるため、指針画像を連続的に見せることが可能になる。
【００３５】
請求項１６に記載の表示装置は、制御手段が、重なり部を、指針画像の色相と指標画像の色相とのいずれとも異なる色相で表示させることを特徴とする。この構成では、請求項１４に記載されている構成を兼ね備えているため、上述の効果をより高めることができる。
【００３６】
請求項１７に記載の表示装置は、指針を構成する指針画像と、指針が指し示す指標を構成する指標画像とを有する計器画像を表示可能な表示パネルと、指針画像と指標画像とを重ねて表示する重ね合わせ表示が可能なように計器画像を表示パネルに表示させる制御手段とを備え、制御手段は、重ね合わせ表示の際に、指標画像が表す指標を読み取り可能なように指針画像の指針形態と指標画像の指標表示態様との少なくとも一方を変化させ、制御手段は、指針画像と指標画像とが重なる位置で、指針画像を連続的に見せることが可能なように指針形態と指標表示態様との少なくとも一方を変化させ、制御手段は、指標画像が表す指標を読み取らせる補助画像を、指標画像の周囲に表示させることによって、指標表示態様を変化させることを特徴とする。
【００３７】
この構成では、重ね合わせ表示の際に、指標画像が表す指標を読み取らせる補助画像を、指標画像の周囲に表示させるため、指標画像が表す指標を読み取り可能にできる。また、指標画像が表す指標を補助画像によって読み取り可能にしているため、指標画像によって指針画像を分断させない構成を採ることが可能になり、これにより、指針画像を連続的に見せることが可能になる。
【００３８】
請求項１８に記載の表示装置は、補助画像が、指針画像が動く方向に指針画像からずらした位置で表示されて、指標を表すことを特徴とする。
【００３９】
この構成では、補助画像が指針画像からずらした位置で表示されるため、指標画像が表す指標を読み取り可能にできる。また、指標画像が表す指標を補助画像によって読み取り可能にしているため、指標画像によって指針画像を分断させない構成を採ることが可能になり、これにより、指針画像を連続的に見せることが可能になる。
【００４０】
請求項１９に記載の表示装置は、補助画像が、指標画像の陰影を表す陰影画像であることを特徴とする。この構成では、指針画像に対する指標画像の識別性を、陰影画像によって高めるため、上述の効果に加えて、指標画像に立体感を与えることができる。この立体感により、指標画像の印象を高めることができるため、指標画像の識別性をより高めることができる。したがって、指標画像が表す指標をより読み取り易くできる。
【００４１】
請求項２０に記載の表示装置は、補助画像が、指標画像の輪郭の少なくとも一部を表す輪郭画像であることを特徴とする。この構成では、指針画像に対する指標画像の識別性を、輪郭画像によって高めるため、上述の効果に加えて、指標画像の輪郭をより確実に認識させることができる。これにより、指標画像の識別性をより高めることができる。したがって、指標画像が表す指標をより読み取り易くできる。
【００４２】
請求項２１に記載の表示装置は、補助画像を、指針画像と指標画像の両方の背景の明度と指針画像の明度との略中央の明度で表示させることを特徴とする。これにより、指針画像と背景の両方において補助画像が識別可能となるため、この両方において補助画像を形成することが可能になる。したがって、指標画像の識別性をより高めるように補助画像を形成することが可能になり、指標画像が表す指標をより読み取り易くできる。
【００４３】
請求項２２に記載の表示装置は、補助画像を、背景の色相と指針画像の色相との略中央の色相で表示させることを特徴とする。これにより、指針画像と背景の両方において補助画像が識別可能となるため、この両方において補助画像を形成することが可能になる。したがって、指標画像の識別性をより高めるように補助画像を形成することが可能になり、指標画像が表す指標をより読み取り易くできる。
【００４４】
請求項２３に記載の表示装置は、指針を構成する指針画像と、指針が指し示す指標を構成する指標画像とを有する計器画像を表示可能な表示パネルと、指針画像と指標画像とを重ねて表示する重ね合わせ表示が可能なように計器画像を表示パネルに表示させる制御手段とを備え、制御手段は、重ね合わせ表示の際に、指標画像が表す指標を読み取り可能なように指針画像の指針形態と指標画像の指標表示態様との少なくとも一方を変化させ、制御手段は、指針画像と指標画像とが重なる位置で、指針画像を連続的に見せることが可能なように指針形態と指標表示態様との少なくとも一方を変化させ、かつ、制御手段は、指針画像の長手方向へ指針画像の先端より外側へ指標画像を移動させて指標画像を表示させることによって、指標表示態様を変化させることを特徴とする。
【００４５】
この構成では、重ね合わせ表示の際に、指針画像の先端より外側へ指標画像を移動させて表示させるため、指針画像によって阻害されることなく指標画像が表す指標を読み取り可能にできると共に、指標画像によって分断されることなく指針画像を連続的に見せることが可能になる。
【００４６】
請求項２４に記載の表示装置は、指針を構成する指針画像と、指針が指し示す指標を構成する指標画像とを有する計器画像を表示可能な表示パネルと、指針画像と指標画像とを重ねて表示する重ね合わせ表示が可能なように計器画像を表示パネルに表示させる制御手段とを備え、制御手段は、重ね合わせ表示の際に、指標画像が表す指標を読み取り可能なように指針画像の指針形態と指標画像の指標表示態様との少なくとも一方を変化させ、制御手段は、指針画像と指標画像とが重なる位置で、指針画像を連続的に見せることが可能なように指針形態と指標表示態様との少なくとも一方を変化させ、かつ、制御手段は、指標画像を迂回する形状で指針画像を表示させることによって、指針形態を変化させることを特徴とする。
【００４７】
この構成では、重ね合わせ表示の際に、指標画像を迂回する形状で指針画像を表示させるため、指針画像によって阻害されることなく指標画像が表す指標を読み取り可能にできると共に、指針画像を連続的に見せることが可能になる。
【００４８】
請求項２５に記載の表示装置は、指針を構成する指針画像と、指針が指し示す指標を構成する指標画像とを有する計器画像を表示可能な表示パネルと、指針画像と指標画像とを重ねて表示する重ね合わせ表示が可能なように計器画像を表示パネルに表示させる制御手段とを備え、制御手段は、重ね合わせ表示の際に、指標画像が表す指標を読み取り可能なように指針画像の指針形態と指標画像の指標表示態様との少なくとも一方を変化させ、制御手段は、指針画像と指標画像とが重なる位置で、指針画像を連続的に見せることが可能なように指針形態と指標表示態様との少なくとも一方を変化させ、かつ、制御手段は、重ね合わせ表示の際に、指針画像と重なっている指標画像の全体を指針画像の明度と異なる明度で表示させることによって、指標表示態様を変化させることを特徴とする。
【００４９】
この構成では、重ね合わせ表示の際に、指針画像と重なっている指標画像の全体を指針画像の明度と異なる明度で表示させるため、指標画像が表す指標を読み取り可能にできる。また、指針画像と重なっている指標画像の全体を指針画像の明度と異なる明度で表示させることによって指標画像が表す指標を読み取り可能にしているため、指標画像が表す指標を読み取り可能にするために指針画像を分断させる構成を採る必要がないため、指針画像を連続的に見せることが可能になる。
【００５０】
請求項２６に記載の表示装置は、指針を構成する指針画像と、指針が指し示す指標を構成する指標画像とを有する計器画像を表示可能な表示パネルと、指針画像と指標画像とを重ねて表示する重ね合わせ表示が可能なように計器画像を表示パネルに表示させる制御手段とを備え、制御手段は、重ね合わせ表示の際に、指標画像が表す指標を読み取り可能なように指針画像の指針形態と指標画像の指標表示態様との少なくとも一方を変化させ、制御手段は、指針画像と指標画像とが重なる位置で、指針画像を連続的に見せることが可能なように指針形態と指標表示態様との少なくとも一方を変化させ、かつ、制御手段は、重ね合わせ表示の際に、指針画像と重なっている指標画像の全体を指針画像の色相と異なる色相で表示させることによって、指標表示態様を変化させることを特徴とする。
【００５１】
この構成では、重ね合わせ表示の際に、指針画像と重なっている指標画像の全体を指針画像の色相と異なる色相で表示させるため、指標画像が表す指標を読み取り可能にできる。また、指針画像と重なっている指標画像の全体を指針画像の色相と異なる色相で表示させることによって指標画像が表す指標を読み取り可能にしているため、指標画像が表す指標を読み取り可能にするために指針画像を分断させる構成を採る必要がないため、これにより、指針画像を連続的に見せることが可能になる。
【００５２】
請求項２７に記載の表示装置は、制御手段が、指針画像と重なっている指標画像の全体を指針画像の色相と異なる色相で表示させることを特徴とする。この構成では、請求項２５に記載されている構成を兼ね備えているため、上述の効果をより高めることができる。
【００５３】
請求項２８に記載の表示装置は、制御手段が、指針画像と指標画像の両方の背景において全体の周囲の背景周辺部を、背景の明度と、指針画像の明度と、全体の明度とのいずれとも異なる明度で表示させることを特徴とする。この構成では、背景周辺部によって重ね合わせ表示が強調されるため、指標画像が表す指標をより読み取り易くできる。
【００５４】
請求項２９に記載の表示装置は、制御手段が、指針画像と指標画像の両方の背景において全体の周囲の背景周辺部を、背景の色相と、指針画像の色相と、全体の色相とのいずれとも異なる色相で表示させることを特徴とする。この構成では、背景周辺部によって重ね合わせ表示が強調されるため、指標画像が表す指標をより読み取り易くできる。
【００５５】
請求項３０に記載の表示装置は、制御手段が、背景周辺部を、背景の色相と、指針画像の色相と、全体の色相とのいずれとも異なる色相で表示させることを特徴とする。この構成では、請求項２８に記載されている構成を兼ね備えているため、上述の効果をより高めることができる。
【発明を実施するための最良の形態】
【００５８】
以下、本発明による表示装置を図面に基づいて説明する。
【００５９】
（第１実施形態）
図１に示す表示装置１は、例えば、車載用の表示装置として使用され、表示パネルである液晶パネル２と、発光ダイオード３と、制御手段であるＣＰＵ（セントラル・プロセッシング・ユニット）４と描画ＩＣ（集積回路）５と、ＲＯＭ（リード・オンリー・メモリ）４１と、記憶データの書き換えが可能な画像メモリ５１とを備える。
【００６０】
マトリックス状に複数の画素２１が形成されている液晶パネル２は、図示しない薄膜トランジスタ（ＴＦＴ）によって駆動されるタイプのアクティブマトリックス方式の液晶パネルである。また、各画素２１は、赤色画素と緑色画素と青色画素を内蔵し、ＴＦＴのゲートに電圧を印加することによって各画素２１において赤色画素と緑色画素と青色画素に印加する電圧を制御し、これにより、各画素２１において赤色画素と緑色画素と青色画素の各光透過率を制御する。白色光を発する発光ダイオード３は、液晶パネル２の背後に配置されて液晶パネル２を透過照明する光源であり、ＣＰＵ４によって点燈する。赤色画素と緑色画素と青色画素の各光透過率が制御されている各画素２１を発光ダイオード３が透過照明することによって、液晶パネル２にフルカラー表示をさせる。
【００６１】
ＣＰＵ４は、所定の計測量である当該自動車のエンジン回転数を検出する回転センサ６１等の信号を取り込み、これを描画ＩＣ５に入力させ、当該自動車に備わる機器の作動状態を報知するインジケータや当該自動車の異常を警告するウォーニングに関するインジケータ／ウォーニングセンサ６２等の信号を取り込み、描画ＩＣ５に入力させる。ＲＯＭ４１には、図２に示す計器画像である回転メータ画像７と速度メータ画像８や、インジケータ／ウォーニング画像９等の画像データが記憶されている。ＣＰＵ４からの指示により、画像データがＲＯＭ４１から画像メモリ５１へ転送され、描画ＩＣ５は、画像メモリ５１の画像データと、入力した所定の計測量やインジケータ／ウォーニング情報に基いて、各画素２１において赤色画素と緑色画素と青色画素に印加する電圧を制御し、複数の画素２１の各表示状態を制御する。
【００６２】
これにより、図２に示すように、回転メータ画像７や速度メータ画像８やインジケータ／ウォーニング画像９等を液晶パネル２に表示させる。回転メータ画像７は、当該車両のエンジン回転数を示す回転メータを表す画像であり、エンジン回転数の増減に従って回動する指針を表す指針画像７１と、目盛を表す目盛画像７２と、指針が指し示す指標である数字を表す指標画像７３とを備える。また、指針画像７１が指標画像７３を指し示す際に、指針画像７１と指標画像７３を重ねて表示させる。
【００６３】
速度メータ画像８は、所定の計測量である当該車両の速度を表示する速度メータを表す画像であり、回転メータ画像７と同様に、当該車両の速度の増減に従って回動する指針を表す指針画像８１と、目盛を表す目盛画像８２と、指針が指し示す指標である数字を表す指標画像８３とを備える。また、指針画像８１が指標画像８３を指し示す際に、指針画像８１と指標画像８３を重ねて表示させる。インジケータ／ウォーニング画像９は、インジケータとウォーニングとを表す画像である。
【００６４】
以下、本発明の特徴である、指針画像７１、８１と指標画像７３、８３を重ねて表示させることを、図３と図４に基いて、回転メータ画像７において説明する。
【００６５】
図３において、指針画像７１と指標画像７３の重ね合わせ表示の際に、指標画像７３が表す指標（図３において数字「４」）を読み取り可能なように指針画像７１の指針形態と指標画像７３の指標表示態様との少なくとも一方を変化させる。また、指針画像７１と指標画像７３とが重なる位置で、指針画像７１を長手方向（図３において上下方向）に連続的に見せることが可能なように指針形態と指標表示態様との少なくとも一方を変化させる。
【００６６】
具体的に、重ね合わせ表示の際に指標画像７３を指針画像７１の上に重なるように表示させ、且つ、指針画像７１において重なり部７３ａの周囲の周辺部７１ａを、指針画像７１の明度と、指標画像７３の明度と、指針画像７１と指標画像７３の両方の背景７６の明度とのいずれとも異なる明度で表示させることによって、指針形態を変化させる。
【００６７】
さらに具体的には、指針画像７１と指標画像７３が重なっている重なり部７３ａに指標画像７３を表示させ、指針画像７１において重なり部７３ａの周囲の周辺部７１ａを、指針画像７１と指標画像７３の両方の背景７６と指針画像７１との間の明度で表示させる。例えば、指針画像７１と指標画像７３が共に白色で表示され、背景７６が黒色である場合、周辺部７１ａを、黒色の背景７６と白色の指針画像７１との略中央の明度である灰色で表示させる。
【００６８】
これにより、黒色の背景７６と白色の指針画像７１との中央の明度である灰色の周辺部７１ａを背景として、白色の指標画像７３を表示させるため、白色の指針画像７１を背景として白色の指標画像７３を表示させる場合と比較して、指針画像７１と重なっている指標画像７３を認識し易くできる。したがって、指標画像７３が表す指標の数字「４」を読み取り可能にできる。
【００６９】
また、黒色の背景７６と白色の指針画像７１との中央の明度である灰色の周辺部７１ａを表示させるため、この周辺部７１ａで指針画像７１を分断させないで表示させることができる。即ち、このため、この周辺部７１ａで指針画像７１につながり感を持たせることができ、指標画像７３と重なる位置で指針画像７１を連続的に見せることが可能になる。これにより、周辺部７１ａを背景７６の黒色で表示することによって周辺部７１ａで指針画像７１を表示させない場合と比較して、指標画像７３と重なっている指針画像７１を認識し易くできる。これらの結果、指針画像７１と重なっている指標画像７３、および指標画像７３と重なっている指針画像７１を認識しやすくできる。
【００７０】
したがって、いずれの指標画像７３が指針画像７１によって指し示されているかが認識し易くなり、この重なる位置で指標画像７３が表す指標の数字「４」を読み取り可能にできる。このため、指針画像７１によって認識し易く指し示されている指標画像７３が表す指標の数字「４」を、読み取り可能にできる。
【００７１】
ここで、周辺部７１ａを、黒色の背景７６に近い明度で（即ち、黒色に近い色で）表示させる場合、白色の指針画像７１と重なっている白色の指標画像７３を認識し易くできるが、黒色に近い色の周辺部７１ａで白色の指針画像７１のつながり感が低下して、指標画像７３と重なっている指針画像７１を認識し難くなる。反対に、周辺部７１ａを、白色の指針画像７１に近い明度で（即ち、白色に近い色で）表示させる場合、白色の指針画像７１と重なっている白色の指標画像７３を認識し難くなるが、白色に近い色の周辺部７１ａで白色の指針画像７１のつながり感が向上して、指標画像７３と重なっている白色の指針画像７１を認識し易くなる。
【００７２】
このように、指針画像７１と重なっている指標画像７３を認識し易くすることと、指標画像７３と重なっている指針画像７１を認識し易くすることとは、相反することである。これに対して、周辺部７１ａを黒色の背景７６と白色の指針画像７１との略中央の明度である灰色で表示させるため、より適切に両者を両立させることができる。
【００７３】
なお、指針画像７１が指標画像７３を指し示さない場合、指針画像７１と指標画像７３を重ねて表示させないため、図４に示すように、周辺部７１ａと重なり部７３ａは形成されない。
【００７４】
また、速度メータ画像８においても同様であるため、指針画像８１と指標画像８３を重ねて表示させることの説明を省略する。
【００７５】
以上、本実施形態による表示装置１は、指針を構成する指針画像７１と、指針が指し示す指標を構成する指標画像７３とを有する計器画像である回転メータ画像７を表示可能な表示パネルである液晶パネル２と、指針画像７１と指標画像７３とを重ねて表示する重ね合わせ表示が可能なように回転メータ画像７を液晶パネル２に表示させる制御手段であるＣＰＵ４と描画ＩＣ５と、を備え、ＣＰＵ４と描画ＩＣ５が、重ね合わせ表示の際に、指標画像７３が表す指標を読み取り可能なように指針画像７１の指針形態と指標画像７３の指標表示態様との少なくとも一方を変化させる。これにより、重ね合わせ表示の際に、指標画像が表す指標を読み取り可能にできる。
【００７６】
本実施形態の例では、周辺部７１ａを、均一な明度で表示させたが、これに限らない。指針画像７１の長手方向（図３において上下方向）において周辺部７１ａの両端７１ｂ、７１ｃから重なり部７３ａの中央７３ｃに向かって、指針画像７１の明度から背景７６の明度まで周辺部７１ａの明度が徐々に変化していくグラデーションを、周辺部７１ａに表示させる。具体的に、周辺部７１ａのグラデーションでは、矢印Ｇ１に従って、上端７１ｂから中央７３ｃに向かって、白色の指針画像７１の明度から黒色の背景７６の明度まで周辺部７１ａの明度が徐々に変化させ、矢印Ｇ２に従って、下端７１ｃから中央７３ｃに向かって、白色の指針画像７１の明度から黒色の背景７６の明度まで周辺部７１ａの明度を徐々に変化させる。
【００７７】
これにより、周辺部７１ａの両端７１ｂ、７１ｃ側で指針画像７１のつながり感が向上して、指標画像７３と重なっている指針画像７１を認識し易くでき、重なり部７３ａの中央７３ｃ側で、指針画像７１と重なっている指標画像７３を認識し易くできる。したがって、上述の効果を得ることができると共に、周辺部７１ａのグラデーション効果によって、意匠性を高めることができる。
【００７８】
また、指針画像７１の長手方向（図３において上下方向）において周辺部７１ａの両端の一方である上端７１ｂから他方である下端７１ｃに向かって、指針画像７１の明度から背景７６の明度まで周辺部７１ａの明度が徐々に変化していくグラデーションを、周辺部７１に表示させることも可能である。具体的に、周辺部７１ａのグラデーションでは、矢印Ｇ３に従って、上端７１ｂから下端７１ｃに向かって、白色の指針画像７１の明度から黒色の背景７６の明度まで周辺部７１ａの明度を徐々に変化させる。したがって、下端７１ｃで白色から黒色に明度を急激に変化させる。
【００７９】
これにより、上端７１ｂ側で指針画像７１のつながり感が向上して、指標画像７３と重なっている指針画像７１を認識し易くできる。また、周辺部７１ａの下端７１ｃ側が背景７６の明度に近いため、下端７１ｃ側で指針画像７１と重なっている指標画像７３を認識し易くできる。これらの結果、上述の効果を得ることができると共に、周辺部７１ａのグラデーション効果によって、意匠性を高めることができる。
【００８０】
また、指針画像７１が指し示している指標画像７３の陰影を表す陰影部７３ｂを、当該指標画像７３と隣接させて表示することも可能である。これにより、指針画像が指し示すことによって指標画像と重なっている指針画像を、より認識し易くできる。
【００８１】
また、指針画像７１が指し示している指標画像７３と背景７６との明度差を、他の指標画像７３と背景７６との明度差より高く設定することも可能である。これにより、指針画像７１が指し示すことによって指標画像７３と重なっている指針画像７１を、より認識し易くできる。
【００８２】
上述の例では、指針画像７１と指標画像７３と背景７６を色相と彩度を有さない白黒で表示させたが、これに限らない。液晶パネル２にフルカラー表示をさせることができるため、明度と色相と彩度とを組み合わせて指針画像７１と指標画像７３と背景７６等を表示することができる。この場合において、周辺部７１ａを、指針画像７１と指標画像７３の両方の背景７６と指針画像７１との間の色相で表示することによっても、上述の効果を得ることができる。
【００８３】
例えば、図３において、指針画像７１と指標画像７３を赤色で表示し、背景７６を紫色で表示する場合、周辺部７１ａを、背景７６と指針画像７１との中央の色相である赤紫色で表示する。
【００８４】
これにより、紫色の背景７６と赤色の指針画像７１との中央の色相である赤紫の周辺部７１ａを背景として、赤色の指標画像７３を表示させるため、赤色の指針画像７１を背景として赤色の指標画像７３を表示させる場合と比較して、指針画像７１と重なっている指標画像７３を認識し易くできる。
【００８５】
また、紫色の背景７６と赤色の指針画像７１との中央の色相である赤紫色の周辺部７１ａを表示させるため、この周辺部７１ａで指針画像７１を分断させないで表示させることができる。即ち、このため、この周辺部７１ａで指針画像７１につながり感を持たせることができる。これにより、周辺部７１ａを背景７６の紫色で表示することによって周辺部７１ａで指針画像７１を表示させない場合と比較して、指標画像７３と重なっている指針画像７１を認識し易くできる。これらの結果、指針画像７１と重なっている指標画像７３、および指標画像７３と重なっている指針画像７１を認識しやすくできる。
【００８６】
（第２実施形態）
第２実施形態では、図５において、指針画像７１と指標画像７３の重ね合わせ表示の際に、指標画像７３が表す指標の数字「４」を読み取らせる補助画像である陰影画像７４を、指標画像の周囲に表示させることによって、指標表示態様を変化させる。具体的に、指針画像７１と指標画像７３とを重ねて表示する際に、指針画像７１に対する指標画像７３の識別性を高める陰影画像７４を指標画像７３の周囲に表示する。陰影画像７４は、指標画像の陰影を表す画像であり、指針画像７１と指標画像７３の両方の背景７６の明度と指針画像７１の明度との略中央の明度で、陰影画像７４を表示させる。
【００８７】
例えば、指針画像７１と指標画像７３が共に白色で表示され、背景７６が黒色である場合、陰影画像７４を、黒色の背景７６と白色の指針画像７１との略中央の明度である灰色で表示させる。
【００８８】
指針画像７１に対する指標画像７３の識別性を高める陰影画像７４を指標画像７３の周囲に表示することにより、指針画像７１と記指標画像７３とを重ねて表示する際に、指標画像７３を識別可能にできる。したがって、指標画像７３が表す指標の数字「４」を読み取り可能にできる。
【００８９】
これに対して、陰影画像７４を表示させない比較例では、図６に示すように、指針画像７１に対して指標画像７３を識別し難いため、指標画像７３が表す指標の数字「４」を読み取り難い。
【００９０】
また、図５に示す本発明による実施形態では、指針画像７１に対する指標画像７３の識別性を、指標画像７３の陰影を表す陰影画像７４によって高めるため、上述の効果に加えて、指標画像に立体感を与えることができる。この立体感により、指標画像７３の印象を高めることができるため、指標画像７３の識別性をより高めることができる。したがって、指標画像７３が表す指標の数字「４」をさらに読み取り易くできる。
【００９１】
また、指針画像７１の明度と背景７６の明度との略中央の明度で表示する陰影画像７４が、指針画像７１と背景７６の両方において識別可能となるため、この両方において陰影画像７４を形成することが可能になる。したがって、指標画像７３の識別性をより高めるように陰影画像７４を形成することが可能になり、この結果、指標画像７３の識別性をより高めることができる。したがって、指標画像７３が表す指標の数字「４」をさらに読み取り易くできる。
【００９２】
また、指標画像７３が表す指標の数字「４」を補助画像７４によって読み取り可能にしているため、指標画像７３によって指針画像を分断させない構成を採ることが可能になる。具体的に、重ね合わせ表示の際に、指針画像７１と指標画像７３を共に白色で表示し、これにより、指針画像７１を連続的に見せることが可能になる。
【００９３】
したがって、いずれの指標画像７３が指針画像７１によって指し示されているかが認識し易くなり、この重なる位置で指標画像７３が表す指標の数字「４」を読み取り可能にできる。このため、指針画像７１によって認識し易く指し示されている指標画像７３が表す指標の数字「４」を、読み取り可能にできる。
【００９４】
なお、指針画像７１が指標画像７３を指し示さない場合、指針画像７１と指標画像７３を重ねて表示させないため、陰影画像７４を表示させない。
【００９５】
また、速度メータ画像８においても同様であるため、指針画像８１と指標画像８３を重ねて表示させる場合の説明を省略する。
【００９６】
本実施形態の例では、陰影画像７４を精細な形状で表示したが、例えば、図７に示すように、長丸形状の模式的な陰影画像７４ａを、陰影画像７４の代わりに指標画像７３の周囲に表示することが可能である。なお、陰影画像７４ａと陰影画像７４の対応関係を示すため、図７において陰影画像７４を、一点差線で示している。模式的な陰影画像７４ａによっても、上述の効果を得ることができる。
【００９７】
本実施形態の例では、陰影画像７４，７４ａを指標画像７３の周囲に表示したが、図８に示すように、補助画像である輪郭画像７５を、陰影画像７４，７４ａの代わりに指標画像７３の周囲に表示することが可能である。輪郭画像７５は、指標画像７３の輪郭の一部を表す画像であり、指針画像７１に対する指標画像７３の識別性を、輪郭画像７５によって高めるため、指標画像７３の輪郭をより確実に認識させることができる。これにより、指標画像の識別性を高めることができ、上述の効果を得ることができる。また、輪郭画像７５の代わりに、図９に示すように、指標画像７３の輪郭の全部を表す輪郭画像７５ａとすることも可能である。
【００９８】
本実施形態の例では、補助画像７４，７４ａ、７５，７５ａを、指針画像７１の明度との背景７６の明度と略中央の明度で表示させたが、背景７６の明度と同じ明度で表示することが可能である。例えば、図１０に示すように、陰影画像７４を背景７６の明度と同じ明度で表示することが可能である。図１０では、背景７６に対して陰影画像７４を識別できないため、陰影画像７４と背景７６の境界線を便宜上一点差線で示している。これによっても、指針画像７１に対して指標画像７３を識別可能にできる。したがって、指標画像７３が表す指標の数字「４」を読み取り可能にできる。
【００９９】
本実施形態の例では、陰影画像７４，７４ａと輪郭画像７５，７５ａによって指標画像７３が表す指標の数字「４」を読み取り可能にしたが、これらの代わりに、図１１に示すように、補助画像である補助指標画像７４１を表示することが可能である。指標画像７３が表す指標の数字「４」を表す補助指標画像７４１を、指針画像７１が動く方向（図１１において左右方向）に指針画像７３からずらした位置で表示する。例えば、指針画像７１が図１１において右側に動いている場合、右側に補助指標画像７４１をずらし、指針画像７１が図１１において左側に動いている場合、左側に補助指標画像７４１をずらすようにする。なお、これと反対に、指針画像７１が図１１において右側に動いている場合、左側に補助指標画像７４１をずらし、指針画像７１が図１１において左側に動いている場合、右側に補助指標画像７４１をずらすようにするようにすることも可能である。
【０１００】
この例では、補助指標画像７４１が、指針画像７１が動く方向に指針画像７１からずらした位置で指標を表すため、指標画像７１が表す指標の「４」を読み取り可能にできる。また、指標画像７３が表す指標の「４」を補助指標画像７４１によって読み取り可能にしているため、指標画像７３によって指針画像７１を分断させない構成を採ることが可能になる。具体的に、図１１に示すように、指針画像７１を、指標画像７３の上に重なるように表示する構成を採ることが可能になる。これにより、指針画像７１を連続的に見せることが可能になる。
【０１０１】
本実施形態の例では、指針画像７１と指標画像７３と背景７６と補助画像７４，７４ａ、７５とを、色相と彩度を有さない白黒で表示させたが、これに限らない。液晶パネル２にフルカラー表示をさせることができるため、指針画像７１と指標画像７３と背景７６と補助画像７４，７４ａ、７５とを、明度と色相と彩度とを組み合わせて表示することができる。この場合において、補助画像７４，７４ａ、７５を、指針画像７１の色相と背景７６の色相との略中央の色相で表示することによっても、上述の効果を得ることができる。
【０１０２】
例えば、図５において、指針画像７１と指標画像７３を赤色で表示し、背景７６を紫色で表示する場合、背景７６の色相と指針画像７１の色相との中央の色相である赤紫色で陰影画像７４を表示する。
【０１０３】
これにより、指針画像７１と背景７６の両方において陰影画像７４が識別可能となるため、この両方において陰影画像７４を形成することが可能になる。したがって、指標画像７３の識別性をより高めるように陰影画像７４を形成することが可能になり、この結果、指標画像７３の識別性を高めることができる。したがって、指標画像７３が表す指標の数字「４」を読み取り可能にできる。
【０１０４】
（第３実施形態）
第３実施形態では、図１２において、指針画像７１と指標画像７３の重ね合わせ表示の際に、指標画像７３と指針画像７１の重なり部７３ａを、指針画像７１の明度と指標画像７３の明度とのいずれとも異なる明度で表示させることによって、指標表示態様を変化させる。例えば、指針画像７１と指標画像７３が共に白色で表示され、背景７６が黒色である場合、重なり部７３ａを、黒色の背景７６と白色の指針画像７１（指標画像７３）との略中央の明度である灰色で表示させる。
【０１０５】
これにより、例えば、重なり部７３ａを、指針画像７１と指標画像７３と同じ白色で表示する場合と比較して、重なり部７３ａを、指針画像７１と指標画像７３と異なる灰色に変えて表示しているため、指標の数字「４」を読み取り易くなっている。また、指針画像７１のつながり感を、重なり部７３ａで持たせることができるため、指針画像７１を連続的に見せることが可能になる。
【０１０６】
本実施形態の例では、指針画像７１と指標画像７３と重なり部７３ａと背景７６とを、色相と彩度を有さない白黒で表示させたが、これらを含めて表示させることも可能である。
【０１０７】
（第４実施形態）
第４実施形態では、図１３において、指針画像７１と指標画像７３の重ね合わせ表示の際に、矢印Ｍで示す指針画像７１の長手方向へ指針画像７１の先端より外側へ指標画像７３を指標画像７３１から移動させて指標画像７３を表示させることによって、指標表示態様を変化させる。一方、指針画像７１が指標画像７３を指し示さない場合、つまり、指針画像７１と指標画像７３を重ねて表示させない場合、図１４に示すように、矢印Ｍで示す方向において指標画像７３を指標画像７３１から移動させて指標画像７３を表示させている。したがって、指針画像７１と指標画像７３を重ねて表示させない場合、図１４において指標画像７３を表示し、指針画像７１と指標画像７３の重ね合わせ表示の際に、図１４において指標画像７３を指標画像７３から移動させて指標画像７３１を表示させる。
【０１０８】
本実施形態では、重ね合わせ表示の際に、指針画像７１の先端より外側へ指標画像７３を移動させて表示させるため、指針画像７１によって阻害されることなく指標画像７３が表す指標の数字「４」を読み取り可能にできると共に、指標画像７３によって分断されることなく指針画像７１を連続的に見せることが可能になる。
【０１０９】
（第５実施形態）
第５実施形態では、図１５において、指針画像７１と指標画像７３の重ね合わせ表示の際に、指標画像７３を迂回する形状で指針画像７１１を表示させることによって、指針形態を変化させる。なお、指標画像７３を迂回する形状は、指針画像７１１の迂回形状に限らない。
【０１１０】
本実施形態では、重ね合わせ表示の際に、指標画像７３を迂回する形状で指針画像７１１を表示させるため、指針画像７３によって阻害されることなく指標画像７１１が表す指標の数字「４」を読み取り可能にできると共に、指針画像７１１を連続的に見せることが可能になる。
【０１１１】
（第６実施形態）
第６実施形態では、図１６において、指針画像７１と指標画像７３の重ね合わせ表示の際に、指針画像７１と重なっている指標画像７３の全体を指針画像の明度と異なる明度で表示させることによって、指標表示態様を変化させる。例えば、指針画像７１と指標画像７３を重ねて表示しない際において、指針画像７１と指標画像７３が共に白色で表示され、背景７６が黒色である場合、指針画像７１と重なっている指標画像７３の全体を、指針画像の白色と異なる灰色で表示させる。
【０１１２】
本実施形態では、重ね合わせ表示の際に、指針画像７１と重なっている指標画像７３の全体を指針画像の白色と異なる灰色で表示させるため、指標画像７３が表す指標を読み取り可能にできる。また、指針画像７１と重なっている指標画像７３の全体を指針画像７１の白色と異なる灰色で表示させることによって指標画像７３が表す指標の数字「４」を読み取り可能にしているため、指標画像７３が表す指標を読み取り可能にするために指針画像７１を分断させる構成を採る必要がない。このため、指針画像７１を連続的に見せることが可能になる。
【０１１３】
また、図１７に示すように、背景７６において、指針画像７１と重なっている指標画像７３の全体の周囲の背景周辺部７６ａを、背景７６の黒色と、指針画像７１の白色と、指針画像７１と重なっている指標画像７３の全体の灰色とのいずれとも異なる灰色で表示させることも可能である。この変形例では、背景周辺部７６ａにより重ね合わせ表示が強調されるため、指標画像７３が表す指標の「４」をより読み取り易くできる。
【０１１４】
なお、背景周辺部７６ａを、指標画像７３から背景７６に向かって、指標画像７３の明度から背景７６の明度まで周辺部７１ａの明度が徐々に変化していくグラデーションとして形成することも可能である。これにより、重ね合わせ表示がより強調されるため、指標画像７３が表す指標の「４」をより読み取り易くできる。
【０１１５】
本実施形態の例では、指針画像７１と指標画像７３と重なり部７３ａと背景７６とを、色相と彩度を有さない白黒で表示させたが、これらを含めて表示させることも可能である。
【０１１６】
（第７実施形態）
第７実施形態では、図１８において、指針画像７１と指標画像７３の重ね合わせ表示の際に、指針画像７１と指標画像７３との重なり部７３ａに指標画像７３を表示させ、指針画像７１において重なり部７３ａの周囲の周辺部７１ａを、背景７６の明度と同じ明度であって背景７６の色相と同じ色相で表示させることによって、指針形態を変化させる。たとえば、指針画像７１と指標画像７３を重ねて表示しない際において、指針画像７１と指標画像７３が共に白色で表示され、背景７６が黒色である場合、重なり部７３ａを白色で表示し、周辺部７１ａを背景７６と同じ黒色とする。
【０１１７】
本実施形態では、重なり部７３ａに指標画像７３を表示させ、指針画像７１において重なり部７３ａの周囲の周辺部７１ａを、背景７６と同じ黒色とするため、この周辺部７１ａを背景として、指標画像７３が表す指標の数字「４」を読み取り可能にできる。
【０１１８】
本実施形態の例では、指針画像７１と指標画像７３と重なり部７３ａと背景７６とを、色相と彩度を有さない白黒で表示させたが、これらを含めて表示させることも可能である。
【０１１９】
なお、上述の実施形態では、エンジン回転数の増減に従って指針画像７１が回動したが、これに限らない。図１９に示すように、回転メータ画像７０において、指針画像７１０が、エンジン回転数の増減にしたがって、水平方向（図５において左右方向）へ移動するように、指針画像７１０や目盛画像７２０や指標画像７３０等を表示することも可能である。本変形例においても、周辺部７１０ａを上述したように表示することによって、上述の効果を得ることができる。また、指針画像を垂直方向（図１９において上下方向）へ移動するように、計器画像を表示させるようにすることも可能である。
【０１２０】
なお、図４に示すように指針画像７１と指標画像７３を重ねて表示しない際においては、指標画像が表す指標を読み取り可能なように指針画像の指針形態と指標画像の指標表示態様との少なくとも一方を変化させる構成は、即ち、本発明の構成を採用しない。
【０１２１】
なお、上述の実施形態では、指針画像７１，７１０，７１１がめまぐるしく動く回転メータ画像７，７０に本発明を適用して説明したが、指針画像がめまぐるしく動く場合、指針画像と指標画像の重ね合わせ表示の継続時間が短くなるため、本発明の特徴が発揮されるのは、この短い継続時間に限られる。したがって、この重ね合わせ表示の継続時間が比較的長い場合に本発明の特徴が発揮され、たとえば、速度メータ画像において速度のゼロを表示する場合や、高速道路等で定速走行の制御を行うオートクルーズコントロールにおいて定速走行の速度を表示する場合や、液晶パネル等の表示パネルに指針と指標とを少なくとも有する時計画像を表示する場合等に、本発明の特徴が効果的に発揮される。
【０１２２】
また、液晶パネル２を、フルカラー表示をしないモノクロ液晶パネルとすることも可能である。
【０１２３】
また、受光型（非発光型）の表示パネルである液晶パネル２の代わりに、発光型の表示パネルであるＥＬ（エレクトロ・ルミネセンス）表示パネルを使用することも可能である。
【０１２４】
また、上述した例に限らないで、これらの組み合わせや、他の種々の変形例が考えられる。
【図面の簡単な説明】
【０１２５】
【図１】図１は、本発明による表示装置であるコンビネーションメータ1の回路構成図である。
【図２】図２は、図１に示す液晶パネル２の正面図である。
【図３】図３は、本発明の第１実施形態による表示装置であるコンビネーションメータ1の表示を示す、図２中のＩＩＩ部の拡大正面図である。
【図４】図４は、指針画像７１の回動位置が図３と異なる場合の拡大正面図である。
【図５】図５は、本発明の第２実施形態による表示装置であるコンビネーションメータ1の表示を示す、図２中のＶ部の拡大正面図である。
【図６】図６は、図５の比較例を示す拡大正面図である。
【図７】図７は、図５の第1変形例を示す拡大正面図である。
【図８】図８は、図５の第２変形例を示す拡大正面図である。
【図９】図９は、図５の第３変形例を示す拡大正面図である。
【図１０】図１０は、図５の第４変形例を示す拡大正面図である。
【図１１】図１１は、図５の第５変形例を示す拡大正面図である。
【図１２】図１２は、本発明の第３実施形態による表示装置であるコンビネーションメータ1の表示を示す、図２中のＶ部の拡大正面図である。
【図１３】図１３は、本発明の第４実施形態による表示装置であるコンビネーションメータ1の表示を示す、図２中のＶ部の拡大正面図である。
【図１４】図１４は、指針画像７１の回動位置が図１４と異なる場合の拡大正面図である。
【図１５】図１５は、本発明の第５実施形態による表示装置であるコンビネーションメータ1の表示を示す、図２中のＶ部の拡大正面図である。
【図１６】図１６は、本発明の第６実施形態による表示装置であるコンビネーションメータ1の表示を示す、図２中のＶ部の拡大正面図である。
【図１７】図１７は、図１６の変形例を示す拡大正面図である。
【図１８】図１８は、本発明の第７実施形態による表示装置であるコンビネーションメータ1の表示を示す、図２中のＶ部の拡大正面図である。
【図１９】図１９は、図２中の回転メータ画像７の変形例を示す拡大正面図である。
【符号の説明】
【０１２６】
１  表示装置、２  液晶パネル（表示パネル）、２１  画素、３  発光ダイオード
４  ＣＰＵ（制御手段）、４１  ＲＯＭ、５  描画ＩＣ（制御手段）、５１  画像メモリ
６１  回転センサ、６２  インジケータ／ウォーニングセンサ
７、７０  回転メータ画像（計器画像）、７１，７１０，７１１  指針画像
７１ａ、７１０ａ  周辺部、７１ｂ  上端、７１ｃ  下端、７２，７２０  目盛画像
７３，７３０，７３１  指標画像、７３ａ  重なり部、７３ｂ  陰影部、７３ｃ  中央
７４，７４ａ、７４０  陰影画像（補助画像）、７４１  補助指標画像（補助画像）
７５，７５ａ  輪郭画像（補助画像）、７６  背景、７６ａ  背景周辺部
８  速度メータ画像（計器画像）、８１  指針画像、８２  目盛画像、８３  指標画像
９  インジケータ／ウォーニング画像
【図１】
0004404135.tif 000002
【図２】
0004404135.tif 000003
【図３】
0004404135.tif 000004
【図４】
0004404135.tif 000005
【図５】
0004404135.tif 000006
【図６】
0004404135.tif 000007
【図７】
0004404135.tif 000008
【図８】
0004404135.tif 000009
【図９】
0004404135.tif 000010
【図１０】
0004404135.tif 000011
【図１１】
0004404135.tif 000012
【図１２】
0004404135.tif 000013
【図１３】
0004404135.tif 000014
【図１４】
0004404135.tif 000015
【図１５】
0004404135.tif 000016
【図１６】
0004404135.tif 000017
【図１７】
0004404135.tif 000018
【図１８】
0004404135.tif 000019
【図１９】
0004404135.tif 000020